(57)【要約】【課題】葬儀式場で、参列者が会葬受付で多くの人に見られながら会葬者芳名帳や参列者カードに記帳するのは緊張し、また苦痛を伴うものである。参列者が緊張や苦痛から解放されて受付を済ませ、また遺族側は会葬者芳名帳の整理を受付と同時進行で行える香典袋を提供する。【解決手段】会葬者芳名帳としてファイルすることが可能な参列者カードを香典袋に組み合わせて付属品として一体化させるために、予め記帳した参列者カードの角部を香典袋の裏面水引の内側で香典袋に設けた袋状部又は切込み部に差し込み仮固定する構造又は予め記帳した参列者カードを香典袋の裏面水引の内側で参列者カードに設けた剥離が容易で繰り返し接着が可能な弱粘着性接着剤で香典袋に仮固定する構造とすることで解決した。【選択図】図２
0003156573.tif 000002
【実用新案登録請求の範囲】
【請求項１】
会葬者芳名帳としてファイルすることが可能な参列者カードを香典袋と組み合わせて付属品として一体化させた香典袋であって、参列者カードの角部を香典袋の裏面水引の内側で香典袋に設けた袋状体部に差し込み、参列者カードを香典袋に仮固定する構造の香典袋。
【請求項２】
会葬者芳名帳としてファイルすることが可能な参列者カードを香典袋と組み合わせて付属品として一体化させた香典袋であって、参列者カードの角部を香典袋の裏面水引の内側で香典袋に設けた切込み部に差し込み、参列者カードを香典袋に仮固定する構造の香典袋。
【請求項３】
会葬者芳名帳としてファイルすることが可能な参列者カードを香典袋と組み合わせて付属品として一体化させた香典袋であって、参列者カードに剥離が容易で繰り返し接着が可能な弱粘着性接着剤部を設け、香典袋の裏面水引の内側で参列者カードを香典袋に貼り付け仮固定する構造の香典袋。
【考案の詳細な説明】
【技術分野】
【０００１】
本考案は、参列者カードが付属している香典袋の構造に関する。
【背景技術】
【０００２】
最近、葬儀に参列した場合、式場では参列者カードに住所、氏名、故人との関係等を記帳して香典に添えて受付を済ませるのが一般的になってきた。以前のような数少ない会葬者芳名帳に列をなして記帳していたときに比較して混雑は解消されているが、友人、知人の香典を預かり葬儀に参列した場合、一人で何枚も参列者カードに記帳しなければならないのは従来通りである。会葬受付で多くの人に見られながら会葬者芳名帳や参列者カードに記帳するのは緊張し、また苦痛を伴うものである。参列者カード（例えば、特許文献１参照。）の使用は一般的になってはきたが、この参列者カードは葬儀社が提供するものであって、式場で記帳することに変わりはない。
【０００３】
葬儀での会葬受付けに関し、式場で参列者カードに記帳するのではなく、予め記帳しておく方法として、参列者カードに記入するのと同様な内容を印刷した香典袋（例えば、特許文献２参照。）、転貼可能な住所氏名票が設けられた香典袋（例えば、特許文献３参照。）が提案されているが、いずれも会葬者芳名帳との関係が確立されておらず、一つの方法ではあるが、香典袋としての汎用性には欠けている。
【０００４】
また、参列者カードを香典袋に収納しておき、受付後この参列者カードを香典袋から取り出し会葬者芳名帳に貼り付け整理する方法（例えば、特許文献４参照。）が提案されているが、参列者カードを会葬者芳名帳に整理するには香典袋を開封しなければならず、葬儀式場の会葬受付で会葬者芳名帳を整理できないという問題を有している。
【先行技術文献】
【特許文献】
【０００５】
【特許文献１】実用新案登録第３０１１３９５号公報
【特許文献２】実用新案登録第３０１５６９１号公報
【特許文献３】実用新案登録第３０２６１０２号公報
【特許文献４】特開平９−２５４９９４号公報
【考案の概要】
【考案が解決しようとする課題】
【０００６】
葬儀式場で、参列者が会葬受付で多くの人に見られながら会葬者芳名帳や参列者カードに記帳するのは緊張し、また苦痛を伴うものである。参列者が緊張や苦痛から解放されて受付を済ませ、また遺族側は会葬者芳名帳の整理を受付と同時進行で行える香典袋を提供する。
【課題を解決するための手段】
【０００７】
会葬者芳名帳としてファイルすることが可能な参列者カードを香典袋に組み合わせて付属品として一体化させるために、予め記帳した参列者カードの角部を香典袋の裏面水引の内側で香典袋に設けた袋状部又は切込み部に差し込み仮固定する構造又は予め記帳した参列者カードを香典袋の裏面水引の内側で参列者カードに設けた剥離が容易で繰り返し接着が可能な弱粘着性接着剤で香典袋に仮固定する構造とすることで解決した。
【考案の効果】
【０００８】
本考案の香典袋は、葬儀に参列する際、予め香典袋に付属した参列者カードに住所、氏名、故人又は遺族との関係等を記帳して参列できるので、多数の友人、知人の香典を預かって参列した場合でも会葬者芳名帳や参列者カードへの記帳の苦痛から解放される効果を有する。一方遺族側は、受付時香典袋と参列者カードを分離し、参列者カードは関係先等任意の分類でファイルすることで会葬者芳名帳が出来上がり、煩雑な会葬者の整理が容易になるという効果を有している。更には会葬者芳名帳の再分類による編集も容易になる効果も有している。
【図面の簡単な説明】
【０００９】
【図１】本考案の香典袋表面の一例を示す平面図である。
【図２】参列者カードを香典袋本体裏面に設けた袋状体部に差し込んで香典袋本体に仮固定する構造の一例を示す図である。
【図３】参列者カードを香典袋本体裏面に設けた切り込み部に差し込んで香典袋本体に仮固定する構造の一例を示す図である。
【図４】参列者カードを剥離が容易で繰り返し接着が可能な弱粘着性接着剤で香典袋本体裏面に仮固定する構造の一例を示す図である。
【図５】分離型袋状体の一例を示す斜視図である。
【図６】参列者カードの一例を示す平面図である。
【図７】参列者カードをファイルして会葬者芳名帳とした状態の一例を示す斜視図である。
【考案を実施するための形態】
【００１０】
本考案は、葬儀式場で参列者が会葬受付で多くの人に見られながら会葬者芳名帳や参列者カードに記帳することによる緊張と苦痛から解放するものであり、以下実施するための形態を図面により説明する。
【００１１】
従来、香典袋は市販されているが、参列者カード４は葬儀社が提供するものを使用するのが通例であった。本考案の香典袋１は、香典袋本体２に葬儀式場で記帳していた参列者カード４を付属させたものである。従って葬儀に参列する場合、参列者カード４に住所、氏名、故人又は遺族との関係等を予め記帳しておき、これを香典袋本体２と一体化させ葬儀式場で受付に手渡せばよい。
【００１２】
本考案は、香典袋本体２に参列者カード４を仮固定して一体化する目的で、香典袋本体２の裏面又は参列者カード４の裏面に図２、図３及び図４に例示するような袋状体５、切込み６又は弱粘着性接着剤７の領域を設け、水引３の内側を通した参列者カード４を袋状体５又は切込み６に差し込み仮固定する構造とすること、又は水引３の内側を通した参列者カード４を弱粘着性接着剤７で仮固定する構造とすることを特徴としている。参列者カード４の香典袋本体２への仮固定は、葬儀式場の受付で参列者カード４が香典袋本体２からずれ落ちない程度に支えることが出来れば十分である。
【００１３】
袋状体５又は切込み６は、香典袋本体２の裏面上下の四つの隅部に設けるとよい。一個の袋状体５又は切込み６でも参列者カード４支えることは可能であったが、下部に二個又は対角状に二個設けることはさらに有効である。また複数個の袋状体５又は切込み６を設ける場合、袋状体５と切込み６を併設するのも有効である。
【００１４】
袋状体は接着剤９と剥離紙１０を有した図５に示すような分離型袋状体８とするのもよい。この場合、本考案の香典袋１の製品には分離型袋状体８を数個同封して販売し、使用者が任意に香典袋本体２に貼付け使用する。
【００１５】
参列者カード４を香典袋本体２と一体化させ仮固定するのに、図４に例示するような参列者カード４に剥離が容易で繰り返し接着が可能な弱粘着性接着剤７の領域を設け、参列者カード４を香典袋本体２に接着で一体化する構造も簡便であり有効である。
【００１６】
参列者カード４は、香典袋本体２の裏面の水引３の内側を通すので縦書き又は横書きで表現が異なるが、参列者カード４の縦又は横のいずれかの寸法は香典袋の横寸法より小さくしておく必要がある。全国的に規格化が進み標準化され、葬儀社単位での参列者カードは廃止されるのが理想であり、本考案が目指すところである。
【００１７】
本考案での参列者カード４は、受付後香典袋本体２から分離し、そのままファイルして綴じれば図７に示す会葬者芳名帳１４となる。このため参列者カード４には図６に示すように規格のファイル用穴１１をあけておくとよい。また、記帳欄１２には住所、氏名、故人又は遺族との関係等の記入欄の他、番号欄、メッセージ欄、香典額を記入するための空欄等を適宜設けておけば便利である。ファイルして綴じることが可能な本考案の参列者カード４は会葬者芳名帳１４の編集や必要に応じた別分類での再編集が容易であり有効なものである。
【実施例】
【００１８】
本考案の詳細を実施例で説明する。本考案はこの実施例によってなんら限定されるものではない。
【実施例１】
【００１９】
横１０５ｍｍ、縦１８６ｍｍの寸法の通常の香典袋本体２の下部１ケ所に図２に示すような開口斜辺１５ｍｍの三角形の袋状体５を設け１０２ｍｍ×１８０ｍｍの参列者カード４の角部１３を水引３の内側を通して差し込んだ。葬儀式場での想定行動の範囲では参列者カード４のずれ落ちは発生せず、また香典袋本体２からの分離も容易であった。
【実施例２】
【００２０】
実施例１と同じ香典袋本体２に、図３に示すような１５ｍｍの切込み６を香典袋本体２の下部２ケ所に設け、実施例１と同じ参列者カード４の角部１３を水引３の内側を通して差し込んだ。葬儀式場での想定行動の範囲では参列者カード４のずれ落ちは発生せず、また香典袋本体２からの分離も容易であった。
【実施例３】
【００２１】
実施例１と同じ香典袋本体２に、図４に示すような弱粘着性接着剤７の領域を設けた参列者カード４を、水引３の内側を通して香典袋本体２に接着した。葬儀式場での想定行動の範囲では参列者カード４のずれ落ちは発生せず、また香典袋本体２からの分離も容易であった。
【符号の説明】
【００２２】
１  香典袋
２  香典袋本体
３  水引
４  参列者カード
５  袋状体
６  切込み
７  弱粘着性接着剤
８  分離型袋状体
９  接着剤
１０  剥離紙
１１  ファイル用穴
１２  参列者カード記帳欄
１３  参列者カード角部
１４  参列者カードをファイルした会葬者芳名帳
【図５】
0003156573.tif 000003
【図６】
0003156573.tif 000004
【図７】
0003156573.tif 000005
【図１】
0003156573.tif 000006
【図２】
0003156573.tif 000007
【図３】
0003156573.tif 000008
【図４】
0003156573.tif 000009